(57)【要約】  内部で排ガスを吸収液と気液接触させることによって脱硫させる吸収塔と、吸収塔の内部に吸収液を噴霧する噴霧機構と、吸収塔の底部に貯まる吸収液に酸素を供給する酸化機構と、吸収液を吸収塔の底部に形成された排出口から噴霧機構に送る循環機構と、吸収塔の内部に液体を噴出する液圧ノズルを有する液体噴出機構とを備え、酸化機構が、吸収塔の排出口に対して水平方向に間隔を空けて配置され、液圧ノズルが、吸収塔の底部に取付けられ、かつ酸化機構と吸収塔の排出口との間に配置されている、湿式排煙脱硫装置。
2014021068.tif 000002
【特許請求の範囲】
【請求項１】
内部で排ガスを吸収液と気液接触させることによって脱硫させる吸収塔と、
前記吸収塔の内部に吸収液を噴霧する噴霧機構と、
前記吸収塔の底部に配置されると共に、前記吸収塔の内部に貯まる吸収液に酸素を供給する酸化機構と、
吸収液を前記吸収塔の底部に形成された排出口から前記噴霧機構に送る循環機構と、
前記吸収塔の内部に液体を噴出する液圧ノズルを有する液体噴出機構と
を備え、
前記酸化機構が、前記吸収塔の排出口に対して水平方向に間隔を空けて配置され、
前記液圧ノズルが、前記吸収塔の底部に取付けられ、かつ前記酸化機構と前記吸収塔の排出口との間に配置されている、湿式排煙脱硫装置。
【請求項２】
前記液圧ノズルが、前記酸化機構と前記吸収塔の排出口との間における水平方向中心位置より前記排出口側に配置されている、請求項１に記載の湿式排煙脱硫装置。
【請求項３】
前記液体噴出機構が、前記吸収塔の外部から汲み上げられた液体を、該汲み上げによる圧力を保持した状態で前記液圧ノズルに供給するように構成されている、請求項１に記載の湿式排煙脱硫装置。
【請求項４】
前記液体噴出機構が、前記噴霧機構、前記酸化機構、及び前記循環機構から独立して起動かつ停止可能に構成されている、請求項３に記載の湿式排煙脱硫装置。
【発明の詳細な説明】
【技術分野】
【０００１】
本発明は、吸収塔内で排ガスを吸収液と気液接触させることによって脱硫させ、かつ吸収塔内に貯まる吸収液を撹拌可能とする湿式排煙脱硫装置に関する。
【背景技術】
【０００２】
大型の燃焼設備、プラント等で発生する排ガスには亜硫酸（二酸化硫黄、ＳＯ２）等の硫黄酸化物（ＳＯＸ）が含まれるので、硫黄酸化物を除去すること（脱硫）が要求されている。そこで、アルカリ金属等のアルカリ性物質を含む吸収液を用いて排ガスを脱硫する湿式排煙脱硫装置（以下、「脱硫装置」という）が広く利用されている。脱硫装置には、石灰石膏法、水酸化マグネシウム法、水酸化ナトリウム法、アンモニア吸収法等が採用されている。特に、石灰石膏法は、多くの脱硫装置で採用されており、石灰石膏法では、多くの場合、石灰石（炭酸カルシウム、ＣａＣＯ３）を水に懸濁させることによって作成した石灰石スラリーが吸収液として用いられている。また、脱硫装置には比較的高い粘性を有する吸収液が用いられており、例えば、吸収液として石灰石スラリーを用いる場合、一般的に、石灰石スラリーの濃度を約１０重量％〜約３０重量％としている。【０００３】
典型的な脱硫装置は、吸収塔内に供給液を噴霧する噴霧機構と、吸収液を排ガスに効率的に気液接触させるために吸収塔の内部に貯まった吸収液を酸化させる酸化機構と、脱硫装置内で吸収液を循環させる循環機構とを備えており、このような構成において、吸収塔の内部で排ガスが噴霧機構から噴霧された吸収液と気液接触することによって脱硫され、吸収塔の内部に貯まった吸収液が酸化機構によって酸化され、かつ吸収液が循環機構によって脱硫装置内で循環して繰り返し使用されることとなる。【０００４】
しかしながら、吸収液の流動性が低い状態では、吸収液に懸濁された吸収剤が沈降する傾向にあり（以下、「スラリー沈降」という）、特に、吸収塔の内部に貯まった吸収液においてはスラリー沈降が発生し易くなっている。そこで、吸収塔の内部に貯まった吸収液を撹拌することが行われている。このような撹拌の手法については、例えば、特許文献１には、吸収塔の内部に貯まった吸収液内でプロペラを回転させることが開示されている。この回転するプロペラが吸収液を撹拌することとなる。また、特許文献２には、空気を噴出する複数の空気圧ノズルが、吸収塔の内部に貯まった吸収液に吸収塔の周方向に回転する渦流を発生させるように構成されていることが開示されており、具体的には、複数の空気圧ノズルが、渦流の回転方向に沿って傾斜すると共に吸収塔の周方向に間隔を空けて配置されていることが開示されている。この空気圧ノズルによる渦流が吸収液を撹拌することとなる。なお、多くの場合、このようなプロペラ及び空気圧ノズルは、主に、噴霧機構、酸化機構、及び循環機構と連動して、これらの機構と一緒に起動及び停止するように構成されている。
【先行技術文献】
【特許文献】
【０００５】
【特許文献１】特許第３１７０１５８号公報
【特許文献２】特許第３４８６３９９号公報
【発明の概要】
【発明が解決しようとする課題】
【０００６】
しかしながら、前述のようにプロペラを用いて吸収液を撹拌する場合、吸収塔の内部にプロペラが配置されることとなり、プロペラを回転駆動するために大掛かりな駆動機構が吸収塔に設けられることとなる。そのため、吸収塔の内部の構造が複雑になり、かつ吸収塔の内部の空間が狭くなっている。その結果、吸収塔の内部のメンテナンスが難しくなって、脱硫装置のメンテナンスが難しくなっている。さらに、大掛かりな駆動機構を設けることによって、脱硫装置が大型化することとなる。【０００７】
また、吸収液は比較的高い濃度を有するので、前述のように空気圧ノズルによる渦流を用いて吸収液を撹拌する場合、高い粘性を有する吸収液に渦流を発生させるために、高い圧力の空気を空気圧ノズルから吸収液内に供給する必要がある。また、空気は吸収液の液面に向かって浮かぼうとするので、吸収液に渦流を発生させるために高い圧力の空気を吸収液内に送る必要がある。このように高い圧力の空気を空気圧ノズルに供給するためには、空気圧を発生させる機構（以下、「空気圧発生機構」という）を吸収塔に接近して配置することが望ましい。しかしながら、高い圧力の空気を発生可能とする空気圧発生機構は大型化して、脱硫装置が大型化することとなる。さらに、空気圧発生機構は、空気を高い圧力で供給するために空気圧発生機構の構造が複雑になっている。その結果、空気圧発生機構のメンテナンスが難しくなって、脱硫装置のメンテナンスが難しくなっている。【０００８】
また、前述のように、プロペラ及び空気圧ノズルは、主に、噴霧機構、酸化機構、及び循環機構と連動して、これらの機構と一緒に起動及び停止するように構成されている。そのため、脱硫装置が停止している場合、循環機構が停止するので、吸収塔の内部に貯まる吸収液は循環せずに流動性の無い状態になり、その結果、吸収塔内の内部に貯まった吸収液にスラリー沈降が発生することとなる。このような状態から脱硫装置を起動した直後では、プロペラ及び空気圧ノズルによって吸収液は十分に撹拌されていない状態になっている。従って、吸収剤の濃度が薄くなった吸収液が脱硫装置内を循環することとなり、また、吸収塔の内部で沈降した吸収剤が、吸収塔の内部における吸収液の流れを遮るおそれがある。すなわち、脱硫装置は、起動直後、安定して稼働できなくなっている。【０００９】
本発明はこのような実状に鑑みてなされたものであって、その目的は、吸収液を撹拌する機構をシンプルにすると共に、メンテナンスの容易化を可能とし、小型化を可能とし、かつ安定して稼働可能である湿式排煙脱硫装置を提供することにある。
【課題を解決するための手段】
【００１０】
課題を解決するために、本発明の一態様に係る湿式排煙脱硫装置は、内部で排ガスを吸収液と気液接触させることによって脱硫させる吸収塔と、前記吸収塔の内部に吸収液を噴霧する噴霧機構と、前記吸収塔の底部に配置されると共に、前記吸収塔の内部に貯まる吸収液に酸素を供給する酸化機構と、吸収液を前記吸収塔の底部に形成された排出口から前記噴霧機構に送る循環機構と、前記吸収塔の内部に液体を噴出する液圧ノズルを有する液体噴出機構とを備え、前記酸化機構が、前記吸収塔の排出口に対して水平方向に間隔を空けて配置され、前記液圧ノズルが、前記吸収塔の底部に取付けられ、かつ前記酸化機構と前記吸収塔の排出口との間に配置されている。【００１１】
本発明の一態様に係る湿式排煙脱硫装置では、前記液圧ノズルが、前記酸化機構と前記吸収塔の排出口との間における水平方向中心位置より前記排出口側に配置されている。【００１２】
本発明の一態様に係る湿式排煙脱硫装置では、  前記液体噴出機構が、前記吸収塔の外部から汲み上げられた液体を、該汲み上げによる圧力を保持した状態で前記液圧ノズルに供給するように構成されている。【００１３】
本発明の一態様に係る湿式排煙脱硫装置では、前記液体噴出機構が、前記噴霧機構、前記酸化機構、及び前記循環機構から独立して起動かつ停止可能に構成されている。
【発明の効果】
【００１４】
本発明によれば、吸収液を撹拌する機構をシンプルにすると共に、湿式排煙脱硫装置のメンテナンスを容易化でき、湿式排煙脱硫装置を小型化でき、かつ湿式排煙脱硫装置を安定して稼働させることができる。【００１５】
本発明における前述及びその他の目的、形態、及び効果は、以下の図面と関連付けて後述の発明の詳細な説明の記載から、当業者であれば、よりよく理解されるであろう。
【図面の簡単な説明】
【００１６】
【図１】図１は、本発明の実施形態に係る湿式排煙脱硫装置を模式的に示す正面図である。
【図２】図２は、本発明の実施形態に係る吸収塔の底部及びその周辺部を模式的に示す断面図である。
【図３】図３は、本発明の実施形態に係る吸収塔の底部及びその周辺部を概略的に示す斜視図である。
【発明を実施するための形態】
【００１７】
本発明の実施形態に係る湿式排煙脱硫装置（以下、「脱硫装置」という）について以下に説明する。
【００１８】
図１及び図２を参照すると、脱硫装置１は、略ボックス形状に形成された中空状の吸収塔２を備えている。特に図示はしないが、この吸収塔２の内部には、亜硫酸（二酸化硫黄、ＳＯ２）等のイオン酸化物（ＳＯＸ）を含む排ガスが送られ、送られた排ガスが吸収液によって脱硫された後に吸収塔２の外部に排出されるようになっている。なお、本発明の実施形態に係る脱硫装置１は石灰石膏法を採用しており、本発明の実施形態では、吸収液は、石灰石（炭酸カルシウム、ＣａＣＯ３）を吸収剤として用いた石灰石スラリーになっている。
【００１９】
図１を参照すると、脱硫装置１は、吸収液を吸収塔２の内部に噴霧する噴霧機構３を備えている。噴霧機構３は複数の噴霧ノズル３ａを備えており、複数の噴霧ノズル３ａにはヘッダ管３ｂが接続され、吸収液ｓ１がヘッダ管３ｂから噴霧ノズル３ａに送られるように構成されている。吸収塔２の内部に噴霧された吸収液ｓ１は吸収塔２の底部に貯まることとなる（図１の貯まった吸収液ｓ２を参照）。そこで、図１〜図３に示されるように、このように貯まった吸収液ｓ２を吸収塔２の内部で排ガスを脱硫することに用いるため、脱硫装置１は、吸収塔２の底部に貯まった吸収液ｓ２を、吸収塔２の底部に形成された排出口２ａ（図３を参照）からヘッダ管３ｂの噴霧ノズル３ａより吸収液流上流側（以下、「上流側」という）に送る複数の循環機構４を備えている。また、脱硫装置１は、吸収塔２の内部に貯まった吸収液ｓ２に酸素を供給する複数の酸化機構５を備えている（図１及び図２の供給された酸素ｘを参照）。脱硫装置１は、吸収塔２の内部に貯まった吸収液ｓ２に液体を噴出する一対の液体噴出機構６を備えており（図１及び図２の噴出された水ｗを参照）、この液体噴出機構６から噴出する液体は水になっている。なお、噴霧機構３、循環機構４、及び酸化機構５は、一体となって起動かつ停止するように構成されており、液体噴出機構６は、噴霧機構３、循環機構４、及び酸化機構５から独立して起動かつ停止可能に構成されている。
【００２０】
噴霧機構３及び循環機構４の詳細について、図１〜図３を参照して説明する。図１を参照すると、噴霧機構３の複数の噴霧ノズル３ａは、ヘッダ管３ｂの吸収液流方向に互いに間隔を空けて配置されている。噴霧ノズル３ａが吸収液を噴霧する方向は、下方から上方に向かう方向になっている。ヘッダ管３ｂは、脱硫装置１の水平方向に延びるように形成されている。図１〜図３を参照すると、循環装置１は、吸収塔２の底部とヘッダ管３ｂの上流側端とを接続する循環管４ａを備えている。循環管４ａには循環ポンプ４ｂが取り付けられている。吸収塔２の底部に貯まった吸収液ｓ２は、循環ポンプ４ｂによって汲み上げられて、吸収塔２の排出口２ａ（図３を参照）から循環管４ａを通ってヘッダ管３ｂの上流側端に送られることとなる。
【００２１】
酸化機構５の詳細について、図１〜図３を参照して説明する。酸化機構５は、吸収塔２の底部の側面に取付けられている。酸化機構５は、吸収塔２の排出口２ａに対して水平方向に間隔を空けると共に排出口２ａに対向するように配置されている。酸化機構５は、酸化機構本体５ａから吸収塔２の内部に延びる酸素供給管５ｂを備えている。酸素ｘは、酸化機構５の酸化機構本体５ａから酸素供給管５ｂを通って吸収塔２の内部に貯まった吸収液ｓ２に送られることとなる。
【００２２】
液体噴出機構６の詳細について、図１〜図３を参照して説明する。液体噴出機構６は、吸収塔２の内部に水ｗを噴出する液圧ノズル７を備えている。図３を参照すると、液圧ノズル７は、略円形に形成された液体噴出口７ａを有しており、液圧ノズル７に供給される水は、この液体噴出口７ａを通って吸収塔２の内部に送られることとなる。一対の液圧ノズル７は、吸収塔２の底部の互いに対向する側面にそれぞれ取り付けられており、一対の液圧ノズル７の液体噴出口７ａは互いに対向して配置されている。また、一対の液圧ノズル７は、一群の吸収塔２の排出口２ａと一群の酸化機構５との間における水平方向中心位置Ｃより排出口２ａ側に配置されている。さらに、液圧噴出機構６は、吸収塔２の外部から液圧ノズル７に水を送る液体供給管８を備えている。液体供給管８には液体供給ポンプ９が取付けられている。液体供給ポンプ９によって所定の圧力で汲み上げられた水は、汲み上げによる圧力を保持した状態で吸収塔２の外部から液体供給管８を通って液圧ノズル７に送られることとなる。
【００２３】
ここで、本発明の実施形態に係る脱硫装置１の使用方法について説明する。
【００２４】
吸収塔２の底部に貯まった吸収液ｓ２が、循環機構４のポンプ４ｂによって汲み上げられることによって、循環管４ａを通って噴霧機構３のヘッダ管３ｂの上流側端に送られる。ヘッダ管３ｂに送られた吸収液は噴霧ノズル３ａに送られて、噴霧ノズル３ａによって吸収液が吸収塔２の内部に噴霧される。噴霧された吸収液ｓ１は、吸収塔２の内部に送られた排ガスと反応して、排ガスに含まれる硫黄酸化物を吸収する。その後、噴霧された吸収液ｓ１が、落下して吸収塔２の底部に貯まる。吸収塔２の底部に貯まった吸収液ｓ２は、循環機構４のポンプ４ｂによって汲み上げられ、再び循環管４ａを通ってヘッダ管３ｂの上流側端に送られて、排ガスの脱硫に用いられる。すなわち、吸収液は、吸収塔２、循環管４ａ、ヘッダ管３ｂ、噴霧ノズル３ａ、吸収塔２の順に周回する経路を通って循環可能になっている。また、酸化機構５は、その酸素供給口５ａから吸収塔２の底部に貯まった吸収液ｓ２に酸素ｘを供給して、吸収塔２の底部に貯まった吸収液ｓ２が酸化されることとなる。
【００２５】
本発明の実施形態に係る脱硫装置１の吸収塔２の内部に貯まった吸収液ｓ２の撹拌方法について説明する。
【００２６】
液体噴出機構６を起動する。液体供給ポンプ９が、吸収塔２の外部の水を所定の圧力で汲み上げる。汲み上げられた水は、汲み上げによる圧力を保持した状態で吸収塔２の外部から液体供給管８を通って液圧ノズル７に送られる。液圧ノズル７に送られた水は、液圧ノズル７の液体供給口７ａを通って吸収塔２の内部に貯まった吸収液ｓ２に噴出される。液圧ノズル７から噴出された水ｗは、吸収塔２の内部に貯まった吸収液ｓ２に渦流を発生させる。この渦流によって、吸収塔２の内部に貯まった吸収液ｓ２が撹拌されることとなる。そのため、吸収塔２の内部に貯まった吸収液ｓ２内で懸濁された吸収剤が沈降した場合（以下、「スラリー沈降」という）、このような撹拌によって、沈降している吸収剤が、吸収塔２の排出口２ａと酸化機構５との間を中心に粉砕かつ微細化されることとなる。
【００２７】
以上のように本発明の実施形態に係る脱硫装置１によれば、液圧ノズル７から噴出する水ｗが、吸収塔２の内部に貯まった吸収液ｓ２に渦流を発生させて、この渦流によって、吸収塔２の内部に貯まった吸収液ｓ２が撹拌されることとなる。従って、スラリー沈降が発生した場合、液圧ノズル７から噴出する水ｗによる渦流が、吸収塔２の排出口２ａと酸化機構５との間を中心に、沈降している吸収剤を粉砕かつ微細化して、吸収液が、特に、吸収塔２の排出口２ａと酸化機構５との間で十分に撹拌されることとなる。その結果、循環機構４の立ち上げとともに、酸化機構５から送られた酸素が、吸収塔２の排出口２ａと酸化機構５との間で効率的に撹拌された吸収液に送られて、吸収塔２の内部に貯まった吸収液を即座に酸化することとなる。このように効率的に撹拌かつ酸化された吸収液が、吸収塔２の排出口２ａに送られ、かつ脱硫装置１内を循環することになる。よって、脱硫装置１を安定して稼働させることができる。
【００２８】
吸収液を撹拌するための構成が、液圧ノズル７から吸収液内に水ｗを噴出するという簡単な構成であるので、吸収液を撹拌する機構をシンプルにできる。また、吸収液を撹拌する機構は吸収塔２の内部の空間を占有しないので、吸収塔２の内部に広い空間を確保できる。その結果、吸収塔２の内部のメンテナンスを容易にでき、脱硫装置１のメンテナンスを容易にできる。また、脱硫装置１を小型化できる。
【００２９】
液圧ノズル７から噴出される水ｗの比重は、従来用いられていた空気の比重より大きいので、液圧ノズル７から噴出される水ｗは吸収液内に水平に送り易くなっている。そのため、従来空気に加えていた圧力と比較して低い圧力で液圧ノズル７から水を噴出し、吸収液に渦流を発生させて、吸収液を十分に撹拌することができる。
【００３０】
本発明の実施形態に係る脱硫装置１によれば、液圧ノズル７が、吸収塔２の排出口２ａと酸化機構５との間における水平方向中心位置Ｃより排出口２ａ側に配置されているので、循環する吸収液の経路である吸収塔２の排出口２ａ周辺で、沈降した吸収剤が効率的に粉砕かつ微細化されることとなる。よって、沈降した吸収剤が循環する吸収液の経路を塞ぐことが防止されて、脱硫装置１を安定して稼働させることができる。
【００３１】
本発明の実施形態に係る脱硫装置１によれば、液体噴出機構６が、吸収塔２の外部から汲み上げられた水を、該汲み上げによる圧力を保持した状態で液圧ノズル７に供給するように構成されているので、液体供給管８及び液体供給ポンプ９のように、液圧ノズル７に水を送る機構をシンプルにでき、吸収液を撹拌する機構をシンプルにすることができる。
【００３２】
本発明の実施形態に係る脱硫装置１によれば、液体噴出機構６が、噴霧機構３、循環機構４、及び酸化機構５から独立して起動かつ停止可能に構成されているので、例えば、脱硫装置１の主な機構である噴霧機構３、循環機構４、及び酸化機構５を起動する前に、液体噴出機構６を起動かつ稼働させてスラリー沈降を解消すれば、脱硫装置１を、噴霧機構３、循環機構４、及び酸化機構５の起動直後から安定して稼働させることができる。
【００３３】
ここまで本発明の実施形態について述べたが、本発明は既述の実施形態に限定されるものではなく、本発明の技術的思想に基づいて各種の変形及び変更が可能である。
【００３４】
例えば、本発明の第１変形例として、吸収液が、消石灰（水酸化カルシウム、Ｃａ（ＯＨ）２）、ドロマイト等を吸収剤として用いたスラリーであってもよい。脱硫装置１が、水酸化マグネシウム法を採用したものであってもよく、この場合、吸収液が、水酸化マグネシウム等を吸収剤として用いたスラリーであるとよい。脱硫装置１が、水酸化ナトリウム法を採用したものであってもよく、この場合、吸収液が、水酸化ナトリウム、硫酸ナトリウム等を吸収剤として用いたスラリーであるとよい。脱硫装置１が、アンモニア吸収法を採用したものであってもよく、この場合、吸収液が、アンモニア等を吸収剤として用いたスラリーであるとよい。
【００３５】
本発明の第２変形例として、噴霧ノズル３ａが吸収液を噴霧する方向は、上方から下方に向かう方向、水平方向、斜め方向等であってもよい。
【００３６】
本発明の第３変形例として、ヘッダ管３ｂは、湾曲部分、屈曲部分、上下方向に延びる部分、傾斜する部分等を含んでいてもよい。
【００３７】
本発明の第４変形例として、吸収塔２が、略円柱形状、略円錐形状、略楕円柱形状、略楕円錐形状、略多角形状、略多角錐形状等に形成されていてもよい。
【００３８】
本発明の第５変形例として、液圧ノズル７から噴出される液体が、水以外の液体、例えば、吸収液と同種の液体、吸収液に吸収剤を懸濁する前の液体と同種の液体等であってもよい。
【００３９】
本発明の第６変形例として、吸収塔２の底部の対向する側面の一方側に、１つ以上の液体噴出機構６が設けられていてもよい。
【００４０】
本発明の第７変形例として、複数対の液体噴出機構６が設けられていてもよい。
【００４１】
本発明の第８変形例として、液圧ノズル７の液体噴出口７ａが、略半円形状、略楕円形状、略半楕円形状、略多角形状、略星形状等に形成されていてもよい。
【００４２】
本発明の第９変形例として、一対の液圧ノズル７の液体噴出口７ａは、互いに対して吸収塔２の高さ方向、水平方向、及び／又は周方向にシフトして配置されていてもよい。
【００４３】
本発明の第１０変形例として、液体噴出機構６が、吸収塔２の底部に貯まった吸収液ｓ２の液面に対して吸収塔２の高さ方向に間隔を空けた液体供給位置から液体を自然落下させることによって、吸収塔２の底部に貯まった吸収液ｓ２を撹拌するように構成されていてもよい。特に、液体供給位置は、吸収塔２の底部に貯まった吸収液ｓ２の撹拌を達成するために、吸収塔２の底部に貯まった吸収液ｓ２の液面に対して吸収塔２の高さ方向に十分に間隔を空けた位置であると好ましい。
【符号の説明】
【００４４】
１  湿式排煙脱硫装置（脱硫装置）
２  吸収塔
２ａ  排出口
３  噴霧機構
４  循環機構
５  酸化機構
６  液体噴出機構
７  液圧ノズル
ｓ１，ｓ２  吸収液
ｗ  水
ｘ  酸素
Ｃ  水平方向中心位置
【図１】
2014021068.tif 000003
【図２】
2014021068.tif 000004
【図３】
2014021068.tif 000005
【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
内部で排ガスを吸収液と気液接触させることによって脱硫させる吸収塔と、
前記吸収塔の内部に吸収液を噴霧する噴霧機構と、
前記吸収塔の底部に配置されると共に、前記吸収塔の内部に貯まる吸収液に酸素を供給する酸化機構と、
吸収液を前記吸収塔の底部に形成された排出口から前記噴霧機構に送る循環機構と、
前記吸収塔の内部に液体を噴出する液圧ノズルを有する一対の液体噴出機構と
を備え、
前記酸化機構が、前記吸収塔の排出口に対して水平方向に間隔を空けて配置され、
前記酸化機構と前記吸収塔の排出口との間にて、前記一対の液体噴出機構における液圧ノズルの噴出口が互いに対向するように、前記一対の液圧ノズルが、それぞれ、前記吸収塔の底部の互いに対向する側面に取付けられている、湿式排煙脱硫装置。
【請求項２】
前記一対の液圧ノズルのそれぞれが、前記酸化機構と前記吸収塔の排出口との間における水平方向中心位置に対して前記排出口側に配置されている、請求項１に記載の湿式排煙脱硫装置。
【請求項３】
前記液体噴出機構が、前記吸収塔の外部から汲み上げられた液体を、該汲み上げによる圧力を保持した状態で前記液圧ノズルに供給するように構成されている、請求項１に記載の湿式排煙脱硫装置。
【請求項４】
前記液体噴出機構が、前記液圧ノズルに液体を供給する液体供給管と、前記液体供給管に取付けられる液体供給ポンプとをさらに有し、前記液体供給ポンプによって汲み上げられた液体が、前記吸収塔の外部から前記液体供給管を通って前記液圧ノズルに送られるように構成されている、請求項３に記載の湿式排煙脱硫装置。
【手続補正２】
【補正対象書類名】明細書
【補正対象項目名】００１０
【補正方法】変更
【補正の内容】
【００１０】
課題を解決するために、本発明の一態様に係る湿式排煙脱硫装置は、内部で排ガスを吸収液と気液接触させることによって脱硫させる吸収塔と、前記吸収塔の内部に吸収液を噴霧する噴霧機構と、前記吸収塔の底部に配置されると共に、前記吸収塔の内部に貯まる吸収液に酸素を供給する酸化機構と、吸収液を前記吸収塔の底部に形成された排出口から前記噴霧機構に送る循環機構と、前記吸収塔の内部に液体を噴出する液圧ノズルを有する一対の液体噴出機構とを備え、前記酸化機構が、前記吸収塔の排出口に対して水平方向に間隔を空けて配置され、前記酸化機構と前記吸収塔の排出口との間にて、前記一対の液体噴出機構における液圧ノズルの噴出口が互いに対向するように、前記一対の液圧ノズルが、それぞれ、前記吸収塔の底部の互いに対向する側面に取付けられている。
【手続補正３】
【補正対象書類名】明細書
【補正対象項目名】００１１
【補正方法】変更
【補正の内容】
【００１１】
本発明の一態様に係る湿式排煙脱硫装置では、前記一対の液圧ノズルのそれぞれが、前記酸化機構と前記吸収塔の排出口との間における水平方向中心位置に対して前記排出口側に配置されている。
【手続補正４】
【補正対象書類名】明細書
【補正対象項目名】００１３
【補正方法】変更
【補正の内容】
【００１３】
本発明の一態様に係る湿式排煙脱硫装置では、前記液体噴出機構が、前記液圧ノズルに液体を供給する液体供給管と、前記液体供給管に取付けられる液体供給ポンプとをさらに有し、前記液体供給ポンプによって汲み上げられた液体が、前記吸収塔の外部から前記液体供給管を通って前記液圧ノズルに送られるように構成されている。
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
内部で排ガスを吸収液と気液接触させることによって脱硫させる吸収塔と、
前記吸収塔の内部に吸収液を噴霧する噴霧機構と、
前記吸収塔の底部に配置されると共に、前記吸収塔の内部に貯まる吸収液に酸素を供給する酸化機構と、
吸収液を前記吸収塔の底部に形成された排出口から前記噴霧機構に送る循環機構と、
前記吸収塔の内部に液体を噴出する液圧ノズルを有する一対の液体噴出機構と
を備え、
前記酸化機構が、前記吸収塔の排出口に対して水平方向に間隔を空けて配置されており、
前記酸化機構と前記吸収塔の排出口との間にて、前記一対の液体噴出機構における液圧ノズルの噴出口が互いに対向した状態で、前記一対の液圧ノズルが、それぞれ、前記吸収塔の底部の互いに対向する側面に取付けられており、
前記液体噴出機構が、前記噴霧機構、前記循環機構、及び前記酸化機構とは独立して起動かつ停止可能に構成されており、
さらに、前記液体噴出機構が、前記噴霧機構、前記循環機構、及び前記酸化機構を起動する前に起動かつ稼働した状態で、スラリーの沈降を解消するように構成されている、湿式排煙脱硫装置。
【請求項２】
前記一対の液圧ノズルのそれぞれが、前記酸化機構と前記吸収塔の排出口との間における水平方向中心位置に対して前記排出口側に配置されている、請求項１に記載の湿式排煙脱硫装置。
【請求項３】
前記液体噴出機構が、前記液圧ノズルに液体を供給する液体供給管と、前記液体供給管に取付けられる液体供給ポンプとをさらに有し、前記液体供給ポンプによって汲み上げられた液体が、前記吸収塔の外部から前記液体供給管を通って前記液圧ノズルに送られるように構成されている、請求項１に記載の湿式排煙脱硫装置。
【手続補正２】
【補正対象書類名】明細書
【補正対象項目名】００１０
【補正方法】変更
【補正の内容】
【００１０】
課題を解決するために、本発明の一態様に係る湿式排煙脱硫装置は、内部で排ガスを吸収液と気液接触させることによって脱硫させる吸収塔と、前記吸収塔の内部に吸収液を噴霧する噴霧機構と、前記吸収塔の底部に配置されると共に、前記吸収塔の内部に貯まる吸収液に酸素を供給する酸化機構と、吸収液を前記吸収塔の底部に形成された排出口から前記噴霧機構に送る循環機構と、前記吸収塔の内部に液体を噴出する液圧ノズルを有する一対の液体噴出機構とを備え、前記酸化機構が、前記吸収塔の排出口に対して水平方向に間隔を空けて配置されており、前記酸化機構と前記吸収塔の排出口との間にて、前記一対の液体噴出機構における液圧ノズルの噴出口が互いに対向した状態で、前記一対の液圧ノズルが、それぞれ、前記吸収塔の底部の互いに対向する側面に取付けられており、前記液体噴出機構が、前記噴霧機構、前記循環機構、及び前記酸化機構とは独立して起動かつ停止可能に構成されており、さらに、前記液体噴出機構が、前記噴霧機構、前記循環機構、及び前記酸化機構を起動する前に起動かつ稼働した状態で、スラリーの沈降を解消するように構成されている。 
【手続補正３】
【補正対象書類名】明細書
【補正対象項目名】００１２
【補正方法】変更
【補正の内容】
【００１２】
本発明の一態様に係る湿式排煙脱硫装置では、前記液体噴出機構が、前記液圧ノズルに液体を供給する液体供給管と、前記液体供給管に取付けられる液体供給ポンプとをさらに有し、前記液体供給ポンプによって汲み上げられた液体が、前記吸収塔の外部から前記液体供給管を通って前記液圧ノズルに送られるように構成されている。
【手続補正４】
【補正対象書類名】明細書
【補正対象項目名】００１３
【補正方法】削除
【補正の内容】
【国際調査報告】
2014021068.tif 000006
2014021068.tif 000007
2014021068.tif 000008
2014021068.tif 000009